(57)【要約】　　　（修正有）【課題】枯葉等の詰まりがなくなるようにする。【解決手段】縦樋１に取り付ける樋継管２は、その中央部にだ円形で樋継管２の内側と同じくわん曲した弁３と、これを受けて密閉できるように弁３の外辺部全部が密着するように上端がなだらかな２個の山形と、それをつなぐなだらかな２個の谷形からなる曲線をした弁受４とを有し、共に完全に密閉できるようスポンジゴム製を使用している。また、弁３を樋継管２の外より開閉操作が行なえるように操作柄７を弁３の底に取り付け、この一部に操作棒１２を連結し、この先端を樋継管２の外に出している。なお弁３が完全に密閉できるように予備として弁３の底に弁止めひも１３を取付けこの先端も樋継管２の外に出し牽引できるようにしている。【選択図】　　図１
0003099334.tif 000002
【実用新案登録請求の範囲】
【請求項１】
筒状をした▲２▼樋継管の中間部の内側の一隅に▲６▼弁取付具で筒内側状にわん曲した▲３▼弁を、わん曲した左右の頂点の一方を取り付け更に▲３▼弁が下方に向かって閉じた時に密閉する為の▲４▼弁受けと、▲３▼弁の開閉操作を▲２▼樋継管の外より行う為の▲７▼操作柄及び▲１２▼操作棒並びに▲１３▼弁止めひもと、▲５▼排水用バルブ等から構成される縦樋の雨水取り出し用樋継管
【請求項２】
▲３▼弁は底に▲１７▼スポンジゴム等を貼付した、だ円形で樋継管内側に密着する型にわん曲したものである。▲４▼弁受けは▲１７▼スポンジゴム等製で▲３▼弁の外辺に密着するための曲線をもったもの等を装着した縦樋の雨水取り出し用の樋継管
【請求項３】
▲３▼弁の底に▲８▼留具で▲７▼操作柄の上端を、また下端は▲２▼樋継管の▲６▼弁取付具の下方内側に▲９▼留具で取り付けており▲７▼操作柄の下方にはほぼ直角に折れるように▲１０▼留具で継ぎ、その上に▲１１▼留具で▲１２▼操作棒を取りつけ、その先端は▲２▼樋継管の外に突出している。これらに使用した▲８▼〜▲１１▼の留具はいずれも上下或いは左右自在に動き、接続した▲７▼操作柄又は▲１２▼操作棒が自由に動くようにとめている。
また、▲３▼弁の底に▲１３▼弁止めひもを取りつけ、その先端を▲２▼樋継管の外に出している。これ等の▲２▼弁等の開閉用具を装着した縦樋の雨水取り出し用の樋継管
【考案の詳細な説明】
【０００１】
【産業上の利用分野】
本考案は建物の軒下に設置された▲１▼縦樋の途中で流れてくる雨水をせき止め取水するためのものである。
【０００２】
【従来の技術】
小生がさきに考案した縦樋の雨水取水用の樋継管があるが、縦樋の中心を軸として弁を開閉する構造のものであった。
【０００３】
【考案が解決しょうとする課題】
従来の縦樋の雨水取水用の樋継管は、雨水を縦樋内にせき止めるための弁が弁中心を軸にしているため弁が縦に立つと開き横になると閉じる結果、弁が開いた時に弁部分に流れ落ちる枯葉等がひっかゝり詰まることがあった。
【０００４】
本考案は以上の問題点を解決すめ為に弁が開き直立した時に弁が樋継管内側に密着するようにわん曲させ、弁取付具で弁の下方の一隅につけているため枯葉等流れ落ちてもこの弁が障害とならず詰まることがないようにした。
【０００５】
【課題を解決するための手段】
上記の目的を達成するため弁が直立して開いたときに樋継管の内側に密着することができる弁の開発を行った。
【０００６】
▲３▼弁の形を▲２▼樋継管の内側に密着するように▲２▼樋継管の内側と同様にわん曲した、だ円形のものとした為この▲３▼弁を開けると▲２▼樋継管内側に密着し、閉じると下方に向かってわん曲して▲２▼樋継管内全部が閉ざされるものとした。次にこの▲３▼弁を受ける▲４▼弁受けは▲３▼弁の外辺全部と密着するように、なだらかな山形を両側にもちこの間を逆の型の谷形のものとしたうえ▲３▼弁の底部と▲４▼弁受は、共に▲１７▼スポンジゴム等製のものとして、より密着度を高めた。
【０００７】
次に▲３▼弁の開閉を▲２▼樋継管の外から行なうため▲３▼弁の底に▲７▼操作柄の上端を、また下端は▲２▼樋継管の内側の一隅に▲８▼▲９▼留具で取り付け、更に▲７▼操作柄の下方約４ｃｍ部分に▲１０▼留具で上部と下部とを継ぎ▲１０▼留具部分から折れるようにしている。また、この▲１０▼留具の約２〜４ｃｍ上部に▲１１▼留具で▲１２▼操作棒を取り付け、その先端は▲２▼樋継管外に突出させている。いずれの▲８▼〜▲１１▼留具も接続した柄等が上下左右に自在に動くような働きをもっている。更に弁の開閉操作の予備に▲３▼弁底に▲１３▼弁止めひもを取り付け、その先端を▲２▼樋継管外に出している。
【０００８】
【作用】
縦樋から雨水を取水する為には縦樋の任意の一端を本考案の樋継管よりやゝ短めに切断して本樋継管上端のそう入口を縦樋上端に差し込み、次に下方に降ろすと下部のそう入口は縦樋下端にそう入され固定できる。雨水を取水する時には操作棒を上より下方に向けて押すと操作柄は下方の留具部分より直角大に折れ、弁を下方に下げ弁受に密着し、閉ざされ雨水が溜まるので排水用バルブを開き取水する。
次に取水しない時には操作棒を引くと操作柄は下部の留具部分で伸び弁取付具を基点として弁は直立し、樋継管上部の内側に引きつけられ密着し、結果として樋継管内は開放され雨水は縦樋内を流下する。
なお、弁が弁受に完全に密着するように予備用として弁底より樋継管外部に弁止めひもを設け弁止めひもを引くとその目的が達成できるようにしている。
【０００９】
【実施例】
実施例について図面を参照して説明する。
図１の▲２▼樋継管は、例えば塩化ビニール樹脂等の合成樹脂を用いて成型加により厚さ０．３ｍｍ〜０．５ｍｍ程度の肉厚を有する円形筒状に形成される。▲３▼弁は▲２▼樋継管内側に添うようにわん曲した、だ円形のもので▲２▼樋継管の中央部内側の一隅に▲３▼弁を下方に向けた頂点の左右の一方を▲６▼弁取付具で▲４▼弁受のやゝ上に取り付けている。この▲３▼弁と密着する▲４▼弁受は▲３▼弁の外辺全部に添った形で即ちその上辺は、なだらかな左右両方の山形があり、これを繋ぐなだらかな谷形をした曲線をもつもので▲２▼樋継管の内側で▲２▼弁の直下に貼付している。
また、▲３▼弁の底には▲１７▼スポンジゴム製のものを貼付し▲４▼弁受も同質のもので作成している。
【０００１０】
次に▲３▼弁の底の▲６▼弁取付具部分より直径の約２／３の部分に左右自在に動く▲８▼留具をもって▲７▼操作柄上端を取り付け、この下端は▲２▼樋継管の▲６▼弁取付具の直下に当たる部分に上下自在に動く▲９▼留具を用いて取り付けている。この▲７▼操作柄の下端より約２〜４ｃｍの位置に上下自在に動く▲１０▼留具で▲７▼操作柄の上部と下部とを接続し更にこの▲１０▼留具より約２ｃｍ上方に上下自在に動く▲１１▼留具で▲１２▼操作棒を取り付けその先端は▲２▼樋継管内で▲３▼弁が直立した時の▲１１▼留具部分より上部に▲１５▼小穴を設け、これより外に突き出している。
この▲１２▼操作棒を上方に向かって引くと中間の▲１０▼留具部分が伸び▲７▼操作柄は▲２▼樋継管の内側に近づき▲３▼弁は▲６▼弁取付具を基点として直立して▲２▼樋継管に密着するので雨水は下方に流下する。
逆に▲１２▼操作棒を下方へ向けて▲２▼樋継管内に押すと▲１０▼留具部分が直角大に折れ、▲７▼操作柄は下方に引っ張れるので▲３▼弁は▲６▼弁取付具を基点に閉められ▲３▼弁の上部に雨水が溜まる結果▲５▼排水用バルブを開き取水する。
【０００１１】
弁を閉じる際完全に閉じる為に▲３▼弁の底に▲１３▼弁止めひもをつけ、その先端を▲１６▼小穴より▲２▼樋継管外に出しており、この▲１３▼弁止めひもを単に引くことにより▲３▼弁の密閉が完全なものとした。
【０００１２】
本考案は以上のような構成となっており、取付けは縦樋の任意の部分を▲２▼樋継管より約３ｃｍ短めに切取り▲２▼樋継管の上方へ▲１４▼そう入口を▲１▼縦樋の上端にそう入し、次に▲２▼樋継管の下方の▲１４▼そう入口を▲１▼縦樋の下端に降ろしながらそう入して固定する。なお、この継ぎ目は接着剤で固定する。
【０００１３】
【本考案の効果】
本考案は、以上説明したように構成されており、以下に記載するような効果がある。
取り付けは装着する▲１▼縦樋の一部を切取り▲２▼樋継管をそう入するだけで簡単な作業で行なえる。取り付け後の▲３▼弁の開閉は▲２▼樋継管の外部に出ている▲１２▼操作棒を引いたり押したりの作業で雨水を貯める或いは排水させる等が行われ、又溜まった雨水は▲５▼排水用バルブをもって▲１▼縦樋外に排水できる。
また、▲３▼弁を開けた時▲３▼弁は▲２▼樋継管の内側に密着する結果▲１▼縦樋内には障害物がないので枯葉等が詰まらない。
【図面の簡単な説明】
【図１】………………本考案の正面の断面図である。
【図２】………………本考案の弁を開いた時の横から見た断面図である。
【符号の説明】
▲１▼　縦樋
▲２▼　樋継管
▲３▼　弁
▲４▼　弁受
▲５▼　排水用バルブ
▲６▼　弁取付具
▲７▼　操作柄
▲８▼　留具
▲９▼　留具
▲１０▼　留具
▲１１▼　留具
▲１２▼　操作棒
▲１３▼　弁止めひも
▲１４▼　そう入口
▲１５▼　小穴
▲１６▼　小穴
▲１７▼　スポンジゴム
【図１】
0003099334.tif 000003
【図２】
0003099334.tif 000004
【手続補正書】
【提出日】平成15年4月1日(2003.4.1)
【手続補正１】
【補正対象書類名】明細書
【補正対象項目名】実用新案登録請求の範囲
【補正方法】変更
【補正の内容】
【実用新案登録請求の範囲】
【請求項１】
筒状をした▲２▼樋継管の中間部の内側一隅に▲６▼弁取付具で筒の内側に添って、わん曲した▲３▼弁を下方に向けてわん曲した左右の頂点の一方を取りつけ、更に▲３▼弁が下方に向かって閉じた時に密閉する為の▲４▼弁受けと▲３▼弁の開閉操作を▲２▼樋継管の外から行なうことができる▲７▼操作柄及び▲１２▼操作棒並びに▲１３▼弁止めひもと、▲５▼排水用バルブ等から構成される縦樋の雨水取り出し用樋継管
【請求項２】
上記の▲４▼弁受けは▲１７▼スポンジゴム等製で、その上辺は上記▲３▼弁の外周辺に添って、わん曲したものを装着した請求項１記載の樋継管
【請求項３】
上記▲７▼操作柄は、上記▲３▼弁の底のほぼ中心部に▲８▼留具で、一方の下端は▲６▼弁取付具の真下に▲９▼留具でそれぞれ取り付ける。▲７▼操作柄の下方の一部が下方に直角に折れるように▲１０▼留具で継ぎ、その部分より上方部分に▲１１▼留具で▲１２▼操作棒を取り付けその先端は▲１５▼小穴より外に出している。また、上記▲３▼弁の底のほぼ中心部に▲１３▼弁止めひもを取りつけ、その先端を▲１６▼小穴より外に出す構造の▲３▼弁の開閉操作具をもつ請求項１記載の樋継管
【手続補正２】
【補正対象書類名】明細書
【補正対象項目名】図１
【補正方法】変更
【補正の内容】
図　１……本考案の弁を閉じた状態を示す斜視図である。


【手続補正３】
【補正対象書類名】明細書
【補正対象項目名】図２
【補正方法】変更
【補正の内容】
図　２……本考案の弁を開いた状態を示す斜視図である。


【手続補正４】
【補正対象書類名】図面
【補正対象項目名】全図
【補正方法】変更
【補正の内容】
【図１】
0003099334.tif 000005
【図２】
0003099334.tif 000006
【手続補正書】
【提出日】平成15年8月14日(2003.8.14)
【手続補正１】
【補正対象書類名】明細書
【補正対象項目名】請求項３
【補正方法】変更
【補正の内容】
【請求項３】
１．　弁を開ける為の上記▲７▼操作柄は、下方で▲１０▼留具で接続した２本からなり、この接続部分から上部に、先端を▲１５▼小穴から外部に突出させた▲１２▼操作棒を▲１１▼留具で止めたうえ、▲３▼弁の底の中心部と、▲６▼弁取付具の真下の間を▲９▼留具で取りつけており
２．　弁を閉じる為の▲１３▼弁止めひもは▲３▼弁の底の中心部に取りつけ、その先端を▲１６▼小穴から外部に出している
以上の構成を有する▲３▼弁の開閉操作具をもつ請求項１記載の樋継管